(57)【要約】【課題】転送速度が向上できる磁気ヘッド及び磁気記録再生装置を提供する。【解決手段】実施形態によれば、磁気ヘッドは磁極及びコイルを含む。磁極は、磁極端部と、磁極端部に接続された第１、第２磁極縁部と、を含む。コイルの第１コイル部は、第１〜第３コイル縁部を含む。第３コイル縁部は、磁極と重なる。第１、第２磁極縁部は、第１、第２コイル縁部とそれぞれ重なる第１、第２磁極重畳部を含む。磁極端部は、第１、第２磁極重畳部と結ぶ第２方向の磁極端部中心を有する。第１、第２磁極重畳部間の重畳部中心と磁極端部中心とを結ぶ直線と、第１磁極縁部と、の間の第２方向に沿った距離は、磁極端部中心から重畳部中心に向かう第３方向に増大する。第３コイル縁部を通り前記直線に対して平行な直線と、第１コイル縁部と、の間の第２方向に沿った距離は、第３方向に減少する。【選択図】図１
2018041516.tif 000002
【特許請求の範囲】
【請求項１】
磁極と、
第１方向において前記磁極から離れた第１コイル部を含むコイルと、
を備え、
前記磁極は、
磁極端部と、
前記磁極端部に接続された第１磁極縁部と、
前記磁極端部に接続された第２磁極縁部と、
を含み、
前記第１コイル部は、
第１コイル縁部と、
第２コイル縁部と、
前記第１コイル縁部及び前記第２コイル縁部と接続され前記第１方向において前記磁極と重なる第３コイル縁部と、
を含み、
前記第１磁極縁部は、前記第１方向において前記第１コイル縁部と重なる第１磁極重畳部を含み、
前記第２磁極縁部は、前記第１方向において前記第２コイル縁部と重なる第２磁極重畳部を含み、
前記磁極端部は、前記第１磁極重畳部と前記第２磁極重畳部とを結ぶ第２方向の磁極端部中心を有し、
前記第１磁極重畳部と前記第２磁極重畳部との間の重畳部中心と、前記磁極端部中心と、を結ぶ第１直線と、前記第１磁極縁部と、の間の、前記第２方向に沿った距離は、前記磁極端部中心から前記重畳部中心に向かう第３方向に進むに従って増大し、
前記第３コイル縁部を通り前記第１直線に対して平行な第２直線と、前記第１コイル縁部と、の間の前記第２方向に沿った距離は、前記第３方向に進むに従って減少した、磁気ヘッド。
【請求項２】
前記第１直線と前記第２磁極縁部との間の前記第２方向に沿った距離は、前記第３方向に進むに従って増大し、
前記第２直線と前記第２コイル縁部との間の前記第２方向に沿った距離は、前記第３方向に進むに従って減少した、請求項１記載の磁気ヘッド。
【請求項３】
前記第１磁極縁部は、前記第１磁極重畳部を含み第１磁極延在方向に沿う第１磁極延在部を含み、
前記第１コイル縁部は、前記第１方向において前記第１磁極縁部と重なる第１コイル重畳部を含み、
前記第１コイル縁部は、前記第１コイル重畳部を含み第１コイル延在方向に沿う第１コイル延在部を含み、
前記第１磁極延在方向と前記第１コイル延在方向との間の角度の絶対値は、４５度よりも大きい、請求項１または２に記載の磁気ヘッド。
【請求項４】
前記磁極の一部と接する接触部を含む第１シールドをさらに備え、
前記第１磁極縁部は、前記第１方向において前記接触部の外縁と重なる第１磁極接触重畳部を含み、
前記第２磁極縁部は、前記第１方向において前記接触部の前記外縁と重なる第２磁極接触重畳部を含み、
前記磁極端部は、第１端と第２端とをさらに含み、前記第１端と前記第２端とを結ぶ方法は、前記第２方向に沿い、前記第１端と前記第２端との間に前記磁極端部中心が位置し、
前記第１端と前記第１磁極接触重畳部との間の距離は、前記第１端と前記第２磁極接触重畳部との間の距離よりも短く、
前記第２端と前記第２磁極接触重畳部との間の距離は、前記第２端と前記第１磁極接触重畳部との間の距離よりも短く、
前記第１コイル縁部は、前記第１端と前記第１磁極接触重畳部とを結ぶ第１線分と前記第１方向において重なる第１線分重畳部を含み、
前記第１コイル縁部は、前記第１線分重畳部を含み第１重畳延在方向に沿う第１重畳延在部を含み、
前記第１線分の方向と、前記第１重畳延在方向と、の間の角度の絶対値は、４５度よりも大きい、請求項１または２に記載の磁気ヘッド。
【請求項５】
前記磁極の一部と接する接触部を含む第１シールドをさらに備え、
前記接触部の外縁は、
第１コーナ端部と、
第２コーナ端部と、
前記第１コーナ端部と前記第２コーナ端部とを接続する第１接続縁部と、
前記第１コーナ端部と前記第２コーナ端部とを接続する第２接続縁部と、
を含み、
前記第１コーナ端部及び前記第２コーナ端部を結ぶ方向は、前記第２方向に沿い、
前記第３方向において、前記第２接続縁部と前記磁極端部との間に、前記第１接続縁部が位置し、
前記磁極端部は、第１端と第２端とをさらに含み、前記第１端と前記第２端とを結ぶ方法は、前記第２方向に沿い、前記第１端と前記第２端との間に前記磁極端部中心が位置し、
前記第１端と前記第１コーナ端部との間の距離は、前記第１端と前記第２コーナ端部との間の距離よりも短く、
前記第２端と前記第２コーナ端部との間の距離は、前記第２端と前記第１コーナ端部との間の距離よりも短く、
前記第１コイル縁部は、前記第１端と前記第１コーナ端部とを結ぶ第１線分と前記第１方向において重なる第１線分重畳部を含み、
前記第１コイル縁部は、前記第１線分重畳部を含み第１重畳延在方向に沿う第１重畳延在部を含み、
前記第１線分の方向と、前記第１重畳延在方向と、の間の角度の絶対値は、４５度よりも大きい、請求項１または２に記載の磁気ヘッド。
【請求項６】
前記第１コイル縁部の前記第３方向における位置は、前記第３コイル縁部の前記第３方向における位置と、前記磁極端部の前記第３方向における位置との間にあり、
前記第２コイル縁部の前記第３方向における位置は、前記第３コイル縁部の前記第３方向における前記位置と、前記磁極端部の前記第３方向における前記位置との間にある、請求項１〜５のいずれか１つに記載の磁気ヘッド。
【請求項７】
請求項１〜６のいずれか１つに記載の磁気ヘッドと、
前記磁極により情報が記録される磁気記録媒体と、
を備えた磁気記録再生装置。
【発明の詳細な説明】
【技術分野】
【０００１】
本発明の実施形態は、磁気ヘッド及び磁気記録再生装置に関する。
【背景技術】
【０００２】
磁気ヘッドを用いて、ＨＤＤ（Hard Disk Drive）などの磁気記憶媒体に情報が記録される。磁気ヘッド及び磁気記録再生装置において、転送速度の向上が望まれる。
【先行技術文献】
【特許文献】
【０００３】
【特許文献１】特開２０１３−１８７２５７号公報
【発明の概要】
【発明が解決しようとする課題】
【０００４】
本発明の実施形態は、転送速度が向上できる磁気ヘッド及び磁気記録再生装置を提供する。
【課題を解決するための手段】
【０００５】
本発明の実施形態によれば、磁気ヘッドは、磁極及びコイルを含む。前記コイルは、第１方向において前記磁極から離れた第１コイル部を含む。前記磁極は、磁極端部と、前記磁極端部に接続された第１磁極縁部と、前記磁極端部に接続された第２磁極縁部と、を含む。前記第１コイル部は、第１コイル縁部と、第２コイル縁部と、前記第１コイル縁部及び前記第２コイル縁部と接続され前記第１方向において前記磁極と重なる第３コイル縁部と、を含む。前記第１磁極縁部は、前記第１方向において前記第１コイル縁部と重なる第１磁極重畳部を含む。前記第２磁極縁部は、前記第１方向において前記第２コイル縁部と重なる第２磁極重畳部を含む。前記磁極端部は、前記第１磁極重畳部と前記第２磁極重畳部とを結ぶ第２方向の磁極端部中心を有する。前記第１磁極重畳部と前記第２磁極重畳部との間の重畳部中心と、前記磁極端部中心と、を結ぶ第１直線と、前記第１磁極縁部と、の間の、前記第２方向に沿った距離は、前記磁極端部中心から前記重畳部中心に向かう第３方向に進むに従って増大する。前記第３コイル縁部を通り前記第１直線に対して平行な第２直線と、前記第１コイル縁部と、の間の前記第２方向に沿った距離は、前記第３方向に進むに従って減少する。
【図面の簡単な説明】
【０００６】
【図１】図１（ａ）〜図１（ｆ）は、第１の実施形態に係る磁気ヘッドを例示する模式図である。
【図２】図２（ａ）及び図２（ｂ）は、第１の実施形態に係る磁気ヘッドを例示する模式図である。
【図３】図３（ａ）〜図３（ｃ）は、磁気ヘッドを例示する模式図である。
【図４】磁気ヘッドの特性を例示するグラフ図である。
【図５】図５（ａ）及び図５（ｂ）は、第１の実施形態に係る別の磁気ヘッドを例示する模式的透視図である。
【図６】図６（ａ）及び図６（ｂ）は、第１の実施形態に係る別の磁気ヘッドを例示する模式的透視図である。
【図７】磁気ヘッドの特性を例示するグラフ図である。
【図８】第１の実施形態に係る別の磁気ヘッドを例示する模式的斜視図である。
【図９】図９（ａ）及び図９（ｂ）は、第１の実施形態に係る別の磁気ヘッドを例示する模式図である。
【図１０】第１の実施形態に係る別の磁気ヘッドを例示する模式的側面図である。
【図１１】第２の実施形態に係る磁気記録再生装置の一部を例示する模式的斜視図である。
【図１２】第２の実施形態に係る磁気記録再生装置を例示する模式的斜視図である。
【図１３】図１３（ａ）及び図１３（ｂ）は、第２の実施形態に係る磁気記録再生装置の一部を例示する模式的斜視図である。
【発明を実施するための形態】
【０００７】
以下に、本発明の各実施の形態について図面を参照しつつ説明する。  
図面は模式的または概念的なものであり、各部分の厚みと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００８】
（第１の実施形態）
図１（ａ）〜図１（ｆ）、図２（ａ）及び図２（ｂ）は、第１の実施形態に係る磁気ヘッドを例示する模式図である。  
図１（ａ）は、斜視図である。図１（ｂ）、図１（ｅ）、図１（ｆ）及び図２（ｂ）は、図１（ａ）に示す構成要素の一部についての、図１（ａ）に示す矢印方向ＡＡから見た透視側面図である。図１（ｃ）及び図１（ｄ）は、角度を示す模式図である。図２（ａ）は、図１（ａ）のＡ１−Ａ２線断面図である。図１（ａ）においては、図を見やすくするために、構成要素の間を離して描いており、絶縁部分などの一部の要素を省略している。
【０００９】
図１（ａ）に示すように、第１の実施形態に係る磁気ヘッド１１０は、磁極１０と、コイル２０と、を含む。この例では、磁気ヘッド１１０は、第１シールド３１及び第２シールド３２をさらに含む。第１シールド３１は、例えば、トレーリングシールドである。第２シールド３２は、例えば、リーディングシールドである。
【００１０】
第１シールド３１と第２シールド３２との間に、磁極１０及びコイル２０が配置される。
【００１１】
この例では、コイル２０は、第１コイル部２１及び第２コイル部２２を含む。第１コイル部２１と第２コイル部２２との間に、磁極１０の少なくとも一部が配置される。
【００１２】
図１（ｂ）には、第１コイル部２１及び磁極１０が抜き出されて描かれている。図１（ｅ）において、磁極１０が実線で描かれ、第１コイル部２１が破線で描かれている。図１（ｆ）において、第１コイル部２１が実線で描かれ、磁極１０が破線で描かれている。図２（ｂ）において、第２コイル部２２が実線で描かれ、磁極１０が破線で描かれている。
【００１３】
図１（ａ）に示すように、第１コイル部２１は、例えば、第１シールド３１の少なくとも一部と、磁極１０の少なくとも一部と、の間に配置される。第２コイル部２２は、例えば、第２シールド３２の少なくとも一部と、磁極１０の少なくとも一部と、の間に配置される。実施形態において、第１コイル部２１と第２コイル部２２とは、互いに入れ替えても良い。
【００１４】
第１コイル部２１は、第１コイル端Ｔ１と第２コイル端Ｔ２とを含む。例えば、第１コイル端Ｔ１と第２コイル端Ｔ２との間に電流（例えば記録電流）を流すことで、磁極１０が励磁される。第２コイル部２２は、第３コイル端Ｔ３と第４コイル端Ｔ４とを含む。例えば、第３コイル端Ｔ３と第４コイル端Ｔ４との間に電流（例えば記録電流）を流すことで、磁極１０が励磁される。電流に基づく磁束が、磁極１０から発生する。
【００１５】
例えば、第２コイル端Ｔ２が、第３コイル端Ｔ３と接続されても良い。このとき、例えば、第１コイル端Ｔ１及び第４コイル端Ｔ４が電流の供給端子となる。
【００１６】
図２（ａ）に示すように、磁気ヘッド１１０は、磁気記録媒体８０に対向するように、配置される。磁気ヘッド１１０は、媒体対向面１０Ｆ（ＡＢＳ：Air Bearing Surface）を有する。磁極１０から発生した磁束が、磁気記録媒体８０に印加され、磁気記録媒体８０に情報が記録される。磁極１０は、例えば、主磁極である。
【００１７】
図２（ａ）に示すように、磁気ヘッド１１０は、絶縁部１０ｉを含む。絶縁部１０ｉは、例えば、磁極１０、コイル２０、第１シールド３１及び第２シールド３２のそれぞれの間、及び、それらの少なくとも一部を覆う。
【００１８】
第１シールド３１は、接触部３１ｃと、シールド部３１ｐと、を含む。シールド部３１ｐと磁極１０との間に、第１コイル部２１が設けられる。接触部３１ｃは、磁極１０と実質的に接する。接触部３１ｃの少なくとも一部は、シールド部３１ｐの一部と、磁極１０の一部と、の間に位置する。接触部３１ｃは、例えば、シールド部３１ｐと連続している。例えば、磁極１０は、接触部３１ｃと接する部分を有している。この接する部分から磁極端部１０ｅに向かう方向に沿う磁束が、磁極１０中に形成される。この磁束に基づく磁界が、磁気記録媒体８０に印加される。磁束の向きに応じた情報が、磁気記録媒体８０の記録ビットに記録される。
【００１９】
図１（ａ）に示すように、磁極１０から第１コイル部２１に向かう方向を第１方向Ｄ１とする。第１方向Ｄ１をＹ軸方向とする。Ｙ軸方向に対して垂直な１つの方向をＸ軸方向とする。Ｙ軸方向及びＸ軸方向に対して垂直な方向をＺ軸方向とする。Ｙ軸方向（第１方向Ｄ１）は、ダウントラック方向に対応する。Ｘ軸方向は、トラック幅方向に対応する。Ｚ軸方向は、ハイト方向に対応する。
【００２０】
図１（ａ）に示すように、磁極１０は、扇状である。磁極１０の幅（Ｘ軸方向の長さ）は、媒体対向面１０Ｆから離れるに従って大きくなる。磁極１０の幅は、上方向に進むに従って大きくなる。一方、第１コイル部２１は、上方向に向かってカーブした部分を有する。以下、この構成について説明する。
【００２１】
図１（ａ）、図１（ｂ）及び図１（ｅ）に示すように、磁極１０は、磁極端部１０ｅ、第１磁極縁部１０ａ及び第２磁極縁部１０ｂを含む。磁極端部１０ｅは、媒体対向面１０Ｆの側の端である。第１磁極縁部１０ａは、磁極端部１０ｅに接続される。第２磁極縁部１０ｂは、磁極端部１０ｅに接続される。これらの磁極縁部は、磁極１０の縁である。これらの磁極端部は、媒体対向面１０Ｆから上（斜め上）に向かって延びる。
【００２２】
一方、図１（ａ）、図１（ｂ）及び図１（ｆ）に示すように、第１コイル部２１は、第１コイル縁部２１ａ、第２コイル縁部２１ｂ及び第３コイル縁部２１ｃを含む。これらのコイル縁部は、例えば、第１コイル部２１の媒体対向面１０Ｆの側の縁である。第３コイル縁部２１ｃは、第１コイル縁部２１ａ及び第２コイル縁部２１ｂと接続される。Ｘ軸方向において、第３コイル縁部２１ｃは、第１コイル縁部２１ａと第２コイル縁部２１ｂとの間にある。第３コイル縁部２１ｃは、第１方向Ｄ１（Ｙ軸方向）において、磁極１０と重なる。
【００２３】
図１（ｂ）に示すように、第１磁極縁部１０ａは、第１磁極重畳部１０ａｃを含む。第１磁極重畳部１０ａｃは、第１方向Ｄ１において、第１コイル縁部２１ａと重なる。第２磁極縁部１０ｂは、第２磁極重畳部１０ｂｃを含む。第２磁極重畳部１０ｂｃは、第１方向Ｄ１において、第２コイル縁部２１ｂと重なる。
【００２４】
第１磁極重畳部１０ａｃと第２磁極重畳部１０ｂｃとを結ぶ方向を第２方向Ｄ２とする。第２方向Ｄ２は、例えば、Ｘ軸方向に沿う。
【００２５】
図１（ｅ）に示すように、磁極端部１０ｅのＸ軸方向における中心を磁極端部中心１０ｅｃとする。このように、磁極端部１０ｅは、第２方向Ｄ２の磁極端部中心１０ｅｃを有する。
【００２６】
第１磁極重畳部１０ａｃ及び第２磁極重畳部１０ｂｃの中点を重畳部中心１０ｃとする。重畳部中心１０ｃは、第１磁極重畳部１０ａｃと第２磁極重畳部１０ｂｃとの間の中心である。この重畳部中心１０ｃと、上記の磁極端部中心１０ｅｃと、を結ぶ直線を第１直線Ｌ１とする。例えば、第１直線Ｌ１は、Ｚ軸方向に沿う。第１直線Ｌ１は、例えば、媒体対向面１０Ｆに対して実質的に垂直である。
【００２７】
図１（ｅ）に示すように、この第１直線Ｌ１と、第１磁極縁部１０ａと、の間の、第２方向Ｄ２（例えばＸ軸方向）に沿った距離（第１距離ｄ１）は、上方向に進むに従って増大する。第１距離ｄ１は、磁極端部中心１０ｅｃから重畳部中心１０ｃに向かう第３方向Ｄ３に進むに従って増大する。第３方向Ｄ３は、例えば、Ｚ軸方向に沿う。第１距離ｄ１は、媒体対向面１０Ｆから離れるに従って増大する。
【００２８】
例えば、第１直線Ｌ１と第２磁極縁部１０ｂとの間の第２方向Ｄ２に沿った距離（第２距離ｄ２）は、第３方向Ｄ３に進むに従って（上方向に進むに従って）、増大する。第２距離ｄ２は、媒体対向面１０Ｆから離れるに従って増大する。
【００２９】
第１距離ｄ１及び第２距離ｄ２の和が、磁極１０の幅（トラック幅方向の幅）に対応する。このように、磁極１０の幅は、上方向に進むに従って増大する。
【００３０】
一方、図１（ａ）、図１（ｂ）及び図１（ｆ）に示すように、第３コイル縁部２１ｃを通り第１直線Ｌ１に対して平行な直線を第２直線Ｌ２とする。第２直線Ｌ２と第１コイル縁部２１ａとの間の第２方向Ｄ２に沿った距離（第３距離ｄ３）は、第３方向に進むに従って減少する。第３距離ｄ３は、上方向に進むに従って減少する。第３距離ｄ３は、媒体対向面１０Ｆから離れるに従って減少する。
【００３１】
第２直線Ｌ２と第２コイル縁部２１ｂとの間の第２方向Ｄ２に沿った距離（第４距離ｄ４）は、第３方向に進むに従って減少する。第３距離ｄ４は、媒体対向面１０Ｆから離れるに従って減少する。
【００３２】
例えば、第１コイル部２１の縁の中央部分（第３コイル縁部２１ｃ）は、媒体対向面１０Ｆを基準にして、第１コイル縁部２１ａ及び第２コイル縁部２１ｂの上に位置する。例えば、第１コイル縁部２１ａの第３方向Ｄ３（例えばＺ軸方向）における位置は、第３コイル縁部２１ｃの第３方向Ｄ３における位置と、磁極端部１０ｅの第３方向Ｄ３における位置との間にある。第２コイル縁部２１ｂの第３方向Ｄ３における位置は、第３コイル縁部２１ｃの第３方向Ｄ３における位置と、磁極端部１０ｅの第３方向Ｄ３における位置との間にある。第１コイル部２１において、第１コイル縁部２１ａ及び第２コイル縁部２１ｂは、例えば、Ｚ軸方向に対して傾斜している。
【００３３】
このように、実施形態に係る磁気ヘッド１１０においては、磁極１０の幅が上に向かって大きくなるように、磁極１０の縁部が傾斜している。一方、第１コイル部２１の第１コイル縁部２１ａ及び第２コイル縁部２１ｂが傾斜している。磁極１０の縁部の傾斜の方向が、第１コイル部２１の縁部の傾斜の向きと、逆である。
【００３４】
これにより、例えば、磁極１０の縁部と、第１コイル部２１の縁部と、が大きな角度で交差する。これにより、後述するように、転送速度が向上できる。
【００３５】
以下、磁極１０の縁部と、第１コイル部２１の縁部と、の交差状態の例について説明する。
【００３６】
図１（ｅ）に示すように、第１磁極縁部１０ａは、第１磁極延在部１０ａｅを含む。第１磁極延在部１０ａｅは、上記の第１磁極重畳部１０ａｃを含む。第１磁極延在部１０ａｅは、第１磁極延在方向１０ａＤに沿う。
【００３７】
第２磁極縁部１０ｂは、第２磁極延在部１０ｂｅを含む。第２磁極延在部１０ｂｅは、上記の第２磁極重畳部１０ｂｃを含む。第２磁極延在部１０ｂｅは、第２磁極延在方向１０ｂＤに沿う。
【００３８】
一方、図１（ｆ）に示すように、第１コイル縁部２１ａは、第１コイル重畳部２１ａｃを含む。第１コイル重畳部２１ａｃは、第１方向Ｄ１において第１磁極縁部１０ａと重なる。第１コイル縁部２１ａは、第１コイル延在部２１ａｅを含む。第１コイル延在部２１ａｅは、第１コイル重畳部２１ａｃを含む。第１コイル延在部２１ａｅは、第１コイル延在方向２１ａＤに沿う。
【００３９】
第２コイル縁部２１ｂは、第２コイル重畳部２１ｂｃを含む。第２コイル重畳部２１ｂｃは、第１方向Ｄ１において第２磁極縁部１０ｂと重なる。第２コイル縁部２１ｂは、第２コイル延在部２１ｂｅを含む。第２コイル延在部２１ｂｅは、第２コイル重畳部２１ｂｃを含む。第２コイル延在部２１ｂｅは、第２コイル延在方向２１ｂＤに沿う。
【００４０】
第１磁極延在方向１０ａＤと第１コイル延在方向２１ａＤとは、互いに交差する。第２磁極延在方向１０ｂＤと第２コイル延在方向２１ｂＤとは、互いに交差する。
【００４１】
図１（ｃ）は、第１磁極延在方向１０ａＤ及び第１コイル延在方向２１ａＤを例示している。第１磁極延在方向１０ａＤと第１コイル延在方向２１ａＤとの間の角度（絶対値）を第１交差角度θｓ１とする。実施形態においては、第１交差角度θｓ１を大きくできる。第１交差角度θｓ１は、例えば、４５度よりも大きい。
【００４２】
図１（ｄ）は、第２磁極延在方向１０ｂＤ及び第２コイル延在方向２１ｂＤを例示している。第２磁極延在方向１０ｂＤと第２コイル延在方向２１ｂＤとの間の角度（絶対値）を第２交差角度θｓ２とする。実施形態においては、第２交差角度θｓ２を大きくできる。第２交差角度θｓ２は、例えば、４５度よりも大きい。
【００４３】
実施形態においては、これらの交差角を大きくできる。これにより、以下に説明するように、転送速度が向上できる磁気ヘッド及び磁気記録再生装置が提供できる。
【００４４】
図３（ａ）〜図３（ｃ）は、磁気ヘッドを例示する模式図である。  
図３（ａ）は、実施形態に係る磁気ヘッド１１０に対応する。図３（ｂ）は、第１参考例の磁気ヘッド１１９ａに対応する。磁気ヘッド１１９ａは、例えば、一般的なトロイダルコイル型に対応する。図３（ｃ）は、第２参考例の磁気ヘッド１１９ｂに対応する。磁気ヘッド１１９ｂは、例えば、一般的なパンケーキ型に対応する。
【００４５】
図３（ａ）に示すように、磁気ヘッド１１０において、コイル２０（第１コイル部２１）に電流２０ｉが流される。第１コイル縁部２１ａにおいて電流２０ｉの方向Ｄｉは、図中で右上がりである。このため、第１コイル縁部２１ａにおいて生じる磁界の方向Ｄｍ２は、図中で右下がりとなる。一方、第２コイル縁部２１ｂにおいて電流２０ｉの方向Ｄｉは、図中で右下がりである。このため、第２コイル縁部２１ｂにおいて生じる磁界の方向Ｄｍ２は、図中で左下がりとなる。
【００４６】
一方、磁極１０の形状は略扇状である。このため、磁束の集まる方向Ｄｍ１は、第１磁極縁部１０ａの近傍では、図中で右下がりである。そして、磁束の集まる方向Ｄｍ１は、第２磁極縁部１０ｂの近傍では、図中で左下がりである。
【００４７】
このように、電流２０ｉに基づく磁界の方向Ｄｍ２は、磁極１０において磁束が集まる方向に沿う。このため、磁極１０における磁界は、電流の変化に応じて変化し易くなる。これにより、例えば、磁気記録媒体に加わる磁界の変化において、遅れを小さくできる。転送速度が向上できる。
【００４８】
図３（ｂ）に示す第１参考例の磁気ヘッド１１９ａにおいては、コイル２０（第１コイル部２１）にカーブ部が設けられていない。すなわち、第１コイル縁部２１ａ及び第２コイル縁部２１ｂは、Ｚ軸方向に対して傾斜しておらず、Ｚ軸方向に対して垂直である。このため、第１コイル縁部２１ａ及び第２コイル縁部２１ｂにおいて電流２０ｉの方向Ｄｉは、図中で左右方向である。このため、第１コイル縁部２１ａ及び第４コイル縁部２１ｂにおいて生じる磁界の方向Ｄｍ２は、図中で上下方向となる。電流２０ｉに基づく磁界の方向Ｄｍ２は、磁極１０において磁束が集まる方向に沿っていない。磁界の方向Ｄｍ２は、磁束が集まる方向と、大きな角度で交差する。このため、磁極１０における磁界は、電流の変化に応じて変化し難い。磁気記録媒体に加わる磁界の変化において、遅れが生じる。このため、転送速度が低い。
【００４９】
図３（ｃ）に示すように、磁気ヘッド１１９ｂにおいて、コイル２０の変形の状態が、磁気ヘッド１１０とは逆である。磁気ヘッド１１９ｂにおいて、第１コイル縁部２１ａにおいて電流２０ｉの方向Ｄｉは、図中で右下がりである。このため、第１コイル縁部２１ａにおいて生じる磁界の方向Ｄｍ２は、図中で左下がりとなる。第２コイル縁部２１ｂにおいて電流２０ｉの方向Ｄｉは、図中で右上がりである。このため、第２コイル縁部２１ｂにおいて生じる磁界の方向Ｄｍ２は、図中で右下がりとなる。磁極１０において磁束の集まる方向Ｄｍ１は、第１磁極縁部１０ａの近傍では、図中で右下がりである。そして、磁束の集まる方向Ｄｍ１は、第２磁極縁部１０ｂの近傍では、図中で左下がりである。電流２０ｉに基づく磁界の方向Ｄｍ２は、磁極１０において磁束が集まる方向と、大きな角度で交差する。このため、例えば、磁気記録媒体に加わる磁界の変化において、遅れが生じる。このため、転送速度が低い。
【００５０】
このように、実施形態に係る磁気ヘッド１１０においては、磁極１０を扇状とする。磁極１０の媒体対向面１０Ｆの側の端（磁極端部１０ｅ）の幅を小さくする。これにより、磁束が効率良く集められる。このとき、コイル２０の一部の形状をカーブ状とする。これにより、電流２０ｉによって生じる磁界の方向Ｄｍ２を、磁極１０において磁束が集まる方向に沿うようにする。これにより、磁極１０で生じる磁界の応答性が向上できる。
【００５１】
例えば、磁界の応答性を向上するために、ヨーク長（磁極のハイト方向の長さ）を小さくする参考例がある。ヨーク長を小さくすると、製造が困難になる。このため、ヨーク長を小さくする方法には限界がある。ヨーク長を小さくする方法における応答性の向上は、ヨーク磁化の緩和時間(τ)とヨーク全体の磁気回路との相互作用からの効果に基づいていると考えられる（M. Takagishi, IEEE Trans. Magn., vol33(5), p2821 1997参照）。すなわち、電流２０ｉによって生じる磁界の方向Ｄｍ２と、磁極１０において磁束が集まる方向と、の関係を考慮した構成ではない。
【００５２】
コイルをトロイダルコイル型またはパンケーキ型とすることで、磁界の応答性を向上する試みがある。これらの方法は、例えば、インピーダンスを小さくすることでコイルの応答速度を向上する。すなわち、電流２０ｉによって生じる磁界の方向Ｄｍ２と、磁極１０において磁束が集まる方向と、の関係を考慮した構成ではない。
【００５３】
これに対して、実施形態に係る特殊な構成は、電流２０ｉによって生じる磁界の方向Ｄｍ２と、磁極１０において磁束が集まる方向と、の関係を考慮した新規な発想に基づく。
【００５４】
図４は、磁気ヘッドの特性を例示するグラフ図である。  
図４は、上記の磁気ヘッド１１０、１１９ａ及び１１９ｂの特性のシミュレーション結果を例示している。これらの３つの磁気ヘッドにおいて、磁極１０の形状は同じであり、コイル２０（第１コイル部２１）の形状が異なる。シミュレーションは、ＬＬＧ方程式（Landau-Liftshitz-Gilbert- Langevin equations）に基づく。図４の横軸は、Ｚ軸方向における位置ｐＺ（μｍ）である。位置ｐＺが０の位置は、媒体対向面１０Ｆに対応する。図４の縦軸は、磁極１０における磁化の位相遅れＴＭＤ（ｎｓｅｃ）である。位相遅れＴＭＤは、転送速度が２．９Ｇｂｐｓ(Giga-bits per second)の時の記録電流の位相を基準としたときの、ヨーク磁化の各部の位相遅れである。
【００５５】
図４に示すように、磁気ヘッド１１９ａ及び１１９ｂにおいては、位相遅れＴＭＤが大きい。これに対して、磁気ヘッド１１０における位相遅れＴＭＤは小さい。磁気ヘッド１１０における位相遅れＴＭＤは、磁気ヘッド１１９ｂにおける位相遅れＴＭＤの約８０％である。
【００５６】
このように、実施形態によれば、位相遅れＴＭＤを小さくできる。これにより、転送速度が向上できる。
【００５７】
既に説明したように、実施形態において、電流２０ｉに基づく磁界の方向Ｄｍ２は、磁極１０において磁束が集まる方向に沿う。このことは、コイル２０の縁部の延びる方向と、磁極１０において磁束が集まる方向と、の間の角度が大きいことを意味する。この角度は、１つの構成においては、第１磁極延在方向１０ａＤと第１コイル延在方向２１ａＤとの間の角度（第１交差角度θｓ１、図１（ｃ））に対応する。この角度は、１つの構成においては、第２磁極延在方向１０ｂＤと第２コイル延在方向２１ｂＤとの間の角度（第２交差角度θｓ２、図１（ｄ）参照）に対応する。
【００５８】
実施形態において、磁極１０の形状は、種々の変形が可能である。さらに、磁極１０中の磁束の状態は、例えば、第１シールド３１の構成にも依存する。以下、磁束の流れに関するパラメータの例について説明する。
【００５９】
図５（ａ）及び図５（ｂ）は、第１の実施形態に係る別の磁気ヘッドを例示する模式的透視図である。  
これらの図には、第１シールド３１の接触部３１ｃ（図２（ａ）参照））、磁極１０及び第１コイル部２１が描かれており、他の要素は省略されている。
【００６０】
図５（ａ）及び図５（ｂ）に示すように、実施形態に係る別の磁気ヘッド１１１及び磁気ヘッド１１２は、接触部３１ｃを含む第１シールド３１を含む。接触部３１ｃは、磁極１０の一部と接する。これらの例では、接触部３１ｃの幅（Ｘ軸方向に沿う長さ）は、磁極１０の幅よりも大きい。
【００６１】
図５（ａ）に示すように、磁極１０の第１磁極縁部１０ａは、第１磁極接触重畳部１０ａｘを含む。第１磁極接触重畳部１０ａｘは、第１方向Ｄ１において、接触部３１ｃの外縁３１ｃｒと重なる。磁極１０の第２磁極縁部１０ｂは、第２磁極接触重畳部１０ｂｘを含む。第２磁極接触重畳部１０ｂｘは、第１方向Ｄ１において、接触部３１ｃの外縁３１ｃｒと重なる。
【００６２】
磁極端部１０ｅは、第１端１０ｅａと第２端１０ｅｂとを含む。第１端１０ｅａと第２端１０ｅｂとを結ぶ方法は、第２方向Ｄ２に沿う。第１端１０ｅａと第２端１０ｅｂとの間に、磁極端部１０ｅの磁極端部中心１０ｅｃが位置する。
【００６３】
第１端１０ｅａと第１磁極接触重畳部１０ａｘとの間の距離は、第１端１０ｅａと第２磁極接触重畳部１０ｂｘとの間の距離よりも短い。第２端１０ｅｂと第２磁極接触重畳部１０ｂｘとの間の距離は、第２端１０ｅｂと第１磁極接触重畳部１０ａｘとの間の距離よりも短い。
【００６４】
第１端１０ｅａと第１磁極接触重畳部１０ａｘとを結ぶ線分を第１線分１０ａｘＬとする。第１線分１０ａｘＬの方向を第１線分方向１０ａｘＤとする。第２端１０ｅｂと第２磁極接触重畳部１０ｂｘとを結ぶ線分を第２線分１０ｂｘＬとする。第２線分１０ｂｘＬの方向を第２線分方向１０ｂｘＤとする。
【００６５】
一方、第１コイル縁部２１ａは、第１線分重畳部２１ａｘｃを含む。第１線分重畳部２１ａｘｃは、第１線分１０ａｘＬと第１方向Ｄ１において重なる。第１コイル縁部２１ａは、第１重畳延在部２１ａｘｅを含む。第１重畳延在部２１ａｘｅは、第１線分重畳部２１ａｘｃを含む。第１重畳延在部２１ａｘｅは、第１重畳延在方向２１ａｘＤに沿う。
【００６６】
一方、第２コイル縁部２１ｂは、第２線分重畳部２１ｂｘｃを含む。第２線分重畳部２１ｂｘｃは、第２線分１０ｂｘＬと第１方向Ｄ１において重なる。第２コイル縁部２１ｂは、第２重畳延在部２１ｂｘｅを含む。第２重畳延在部２１ｂｘｅは、第２線分重畳部２１ｂｘｃを含む。第２重畳延在部２１ｂｘｅは、第２重畳延在方向２１ｂｘＤに沿う。
【００６７】
第１線分方向１０ａｘＤと第１重畳延在方向２１ａｘＤとの間の角度の絶対値を第１角度θ１とする。第２線分方向１０ｂｘＤと第２重畳延在方向２１ｂｘＤとの間の角度の絶対値を第２角度θ２とする。
【００６８】
これらの角度は、電流２０ｉに基づく磁界の方向Ｄｍ２と、磁極１０において磁束の集まる方向と、の関係に関するパラメータとなる。実施形態においては、これらの角度を大きくすることができる。実施形態において、第１角度θ１及び第２角度θ２の少なくともいずれかは、例えば、４５度よりも大きい。
【００６９】
磁気ヘッド１１１の例においては、第１角度θ１は、第１交差角度θｓ１（図１（ｃ）参照）に対応する。第２角度θ２は、第２交差角度θｓ２（図１（ｄ）参照）に対応する。
【００７０】
図５（ｂ）に示す磁気ヘッド１１２においても、磁気ヘッド１１１と同様に、第１線分１０ａｘＬの第１線分方向１０ａｘＤ、及び、第２線分１０ｂｘＬの第２線分方向１０ｂｘＤが定められる。磁気ヘッド１１２においても、第１角度θ１及び第２角度θ２の少なくともいずれかは、例えば、４５度よりも大きい。
【００７１】
図６（ａ）及び図６（ｂ）は、第１の実施形態に係る別の磁気ヘッドを例示する模式的透視図である。  
これらの図には、第１シールド３１の接触部３１ｃ（図２（ａ）参照））、磁極１０及び第１コイル部２１が描かれており、他の要素は省略されている。
【００７２】
図６（ａ）及び図６（ｂ）に示すように、実施形態に係る別の磁気ヘッド１１３及び磁気ヘッド１１４は、接触部３１ｃを含む第１シールド３１を含む。接触部３１ｃは、磁極１０の一部と接する。これらの例では、接触部３１ｃの幅（Ｘ軸方向に沿う長さ）は、磁極１０の幅よりも小さい。
【００７３】
図６（ａ）に示すように、接触部３１ｃの外縁３１ｃｒは、第１コーナ端部３１ｃｒａ、第２コーナ端部３１ｃｒｂ、第１接続縁部３１ｃｒｐ、及び、第２接続縁部３１ｃｒｑを含む。第１接続縁部３１ｃｒｐは、第１コーナ端部３１ｃｒａと第２コーナ端部３１ｃｒｂとを接続する。第２接続縁部３１ｃｒｑも、第１コーナ端部３１ｃｒａと第２コーナ端部３１ｃｒｂとを接続する。例えば、第１コーナ端部３１ｃｒａ及び第２コーナ端部３１ｃｒｂを結ぶ方向は、第２方向Ｄ２に沿う。第３方向Ｄ３において、第２接続縁部３１ｃｒｑと磁極端部１０ｅとの間に第１接続縁部３１ｃｒｐが位置する。第１接続縁部３１ｃｒｐは、接触部３１ｃの下側の辺部である。第２接続縁部３１ｃｒｑは、接触部３１ｃの上側の辺部を含む。第１コーナ端部３１ｃｒａ及び第２コーナ端部３１ｃｒｂは、接触部３１ｃの下端の縁部の２つの端に対応する。
【００７４】
磁極１０の磁極端部１０ｅは、第１端１０ｅａ及び第２端１０ｅｂを含む。第１端１０ｅａと第２端１０ｅｂとを結ぶ方法は、第２方向Ｄ２に沿っている。第１端１０ｅａと第２端１０ｅｂとの間に、磁極端部中心１０ｅｃが位置する。
【００７５】
第１端１０ｅａと第１コーナ端部３１ｃｒａとの間の距離は、第１端１０ｅａと第２コーナ端部３１ｃｒｂとの間の距離よりも短い。第２端１０ｅｂと第２コーナ端部３１ｃｒｂとの間の距離は、第２端１０ｅｂと第１コーナ端部３１ｃｒａとの間の距離よりも短い。
【００７６】
第１端１０ｅａと第１コーナ端部３１ｃｒａとを結ぶ線分を第１線分１０ａｘＬとする。第１線分１０ａｘＬの方向を第１線分方向１０ａｘＤとする。第２端１０ｅｂと第２コーナ端部３１ｃｒｂとを結ぶ線分を第２線分１０ｂｘＬとする。第２線分１０ｂｘＬの方向を第２線分方向１０ｂｘＤとする。
【００７７】
一方、第１コイル縁部２１ａは、第１線分重畳部２１ａｘｃを含む。第１線分重畳部２１ａｘｃは、第１線分１０ａｘＬと第１方向Ｄ１において重なる。第１コイル縁部２１ａは、第１重畳延在部２１ａｘｅを含む。第１重畳延在部２１ａｘｅは、第１線分重畳部２１ａｘｃを含む。第１重畳延在部２１ａｘｅは、第１重畳延在方向２１ａｘＤに沿う。
【００７８】
一方、第２コイル縁部２１ｂは、第２線分重畳部２１ｂｘｃを含む。第２線分重畳部２１ｂｘｃは、第２線分１０ｂｘＬと第１方向Ｄ１において重なる。第２コイル縁部２１ｂは、第２重畳延在部２１ｂｘｅを含む。第２重畳延在部２１ｂｘｅは、第２線分重畳部２１ｂｘｃを含む。第２重畳延在部２１ｂｘｅは、第２重畳延在方向２１ｂｘＤに沿う。
【００７９】
実施形態において、第１線分方向１０ａｘＤと第１重畳延在方向２１ａｘＤとの間の角度の絶対値（第１角度θ１）は、大きい。第２線分方向１０ｂｘＤと第２重畳延在方向２１ｂｘＤとの間の角度の絶対値（第２角度θ２）は、大きい。第１角度θ１及び第２角度θ２の少なくともいずれかは、例えば、４５度よりも大きい。
【００８０】
図６（ｂ）に示す磁気ヘッド１１４においても、磁気ヘッド１１３と同様に、第１線分１０ａｘＬの第１線分方向１０ａｘＤ、及び、第２線分１０ｂｘＬの第２線分方向１０ｂｘＤが定められる。磁気ヘッド１１４においても、第１角度θ１及び第２角度θ２の少なくともいずれかは、例えば、４５度よりも大きい。
【００８１】
以下、図５（ａ）〜図６（ｂ）に関して説明した第１角度θ１を変えたときの磁気ヘッドの特性の例について説明する。以下の例では、第２角度θ２は、第１角度θ１と同じである。
【００８２】
図７は、磁気ヘッドの特性を例示するグラフ図である。  
図７の横軸は、第１角度θ１（度）である。縦軸は、ビットエラーレートＢＥＲである。この例では、転送速度が３Ｇｂｐｓのときに生じるビットエラーレートＢＥＲが示される。３Ｇｂｐｓの転送速度は、１２５０ｋＢＰＩの記録線密度に対応する。ビットエラーレートＢＥＲが小さい（負の値の絶対値が大きい）ことが、良好な特性に対応する。
【００８３】
図７から分かるように、第１角度θ１（または第２角度θ２）が大きくなると、ビットエラーレートＢＥＲが小さくなる。これは、図３（ａ）〜図３（ｃ）に関して説明したように、第１角度θ１が大きくなると、電流２０ｉによって生じる磁界の方向Ｄｍ２と、磁極１０において磁束が集まる方向と、の間の角度が小さくなるためであると考えられる。第１角度θ１を大きくすることにより、磁極１０で生じる磁界の応答性が向上できる。
【００８４】
例えば、第２参考例の磁気ヘッド１１９ｂにおいては、第１角度θ１は約３５度に対応する。第１参考例の磁気ヘッド１１９ａにおいては、第１角度θ１は約４５度に対応する。
【００８５】
実施形態においては、第１角度θ１は、４５度よりも大きくできる。これにより、良好なビットエラーレートＢＥＲが得られる。
【００８６】
磁気ヘッド１１１（図５（ａ）参照）のような構成の場合は、上記の第１角度θ１として、第１交差角度θｓ１を用いても良い。上記の第２角度θ２として、第２交差角度θｓ２を用いても良い。
【００８７】
以下、図１（ａ）及び図２（ｂ）を参照して、コイル２０に設けられる第２コイル部２２の例について説明する。
【００８８】
コイル２０は、第２コイル部２２を含む。第２コイル部２２は、第１コイル部２１と電気的に接続される。第１方向Ｄ１（例えばＹ軸方向）において、第１コイル部２１の少なくとも一部と、第２コイル部２２の少なくとも一部と、の間に、磁極１０の少なくとも一部が配置される。
【００８９】
第２コイル部２２は、第４コイル縁部２２ｄ、第５コイル縁部２２ｅ及び第６コイル縁部２２ｆを含む。第６コイル縁部２２ｆは、第４コイル縁部２２ｄ及び第５コイル縁部２２ｅと接続される。第６コイル縁部２２ｆは、第１方向Ｄ１において磁極１０と重なる。
【００９０】
図１（ａ）及び図２（ｂ）に示すように、第６コイル縁部２２ｆを通り、第１直線Ｌ１に対して平行な直線を第３直線Ｌ３とする。図２（ｂ）に示すように、第３直線Ｌ３と第４コイル縁部２２ｄとの間の第２方向Ｄ２に沿った距離を第５距離ｄ５とする。第５距離ｄ５は、第３方向Ｄ３に進むに従って減少する。第３直線Ｌ３と第５コイル縁部２２ｅとの間の第２方向Ｄ２に沿った距離を第６距離ｄ６とする。第６距離ｄ６は、第３方向Ｄ３に進むに従って減少する。
【００９１】
これにより、第２コイル部２２においても、電流２０ｉによって生じる磁界の方向が、磁極１０において磁束が集まる方向に沿うようになる。これにより、磁極１０で生じる磁界の応答性が向上できる。
【００９２】
第４コイル縁部２２ｄの第３方向Ｄ３における位置は、第６コイル縁部２２ｆの第３方向Ｄ３における位置と、磁極端部１０ｅの第３方向Ｄ３における位置との間にある。第５コイル縁部２２ｅの第３方向Ｄ３における位置は、第６コイル縁部２２ｆの第３方向Ｄ３における位置と、磁極端部１０ｅの第３方向Ｄ３における位置との間にある。
【００９３】
図８は、第１の実施形態に係る別の磁気ヘッドを例示する模式的斜視図である。  
図８においては、図を見やすくするために、構成要素の間を離して描いており、絶縁部分などの一部の要素を省略している。
【００９４】
図８に示すように、磁気ヘッド１２０においても、磁極１０及びコイル２０が設けられる。磁気ヘッド１２０においては、コイル２０は、第１コイル部２１及び第２コイル部２２に加えて、第３コイル部２３及び第４コイル部２４を含む。これ以外は、磁気ヘッド１１０と同様である。以下、磁気ヘッド１２０におけるコイル２０について説明する。
【００９５】
第３コイル部２３は、第１コイル部２１と電気的に接続される。第３コイル部２３は、第２コイル部２２と電気的に接続されても良い。第３コイル部２３は、第１方向Ｄ１において磁極１０から離れている。第１コイル部２１及び第３コイル部２３を結ぶ方向は、第３方向Ｄ３に沿う。例えば、第３コイル部２３の少なくとも一部は、第１コイル部２１の上に位置する。第３コイル部２３の縁部２３ｒの少なくとも一部は、第１コイル縁部２１ａ、第２コイル縁部２１ｂ及び第３コイル縁部２１ｃに沿っている。
【００９６】
第４コイル部２４は、例えば、第３コイル部２３と電気的に接続される。例えば、第１方向Ｄ１において、第３コイル部２３の少なくとも一部と、第４コイル部２４との間に磁極の少なくとも一部が配置される。第４コイル部２４の縁部２４ｒの少なくとも一部は、第４コイル縁部２２ｄ、第５コイル縁部２２ｅ及び第６コイル縁部２２ｆに沿っている。
【００９７】
例えば、第１コイル部２１の第２コイル端Ｔ２が、第２コイル部２の第３コイル端Ｔ３と接続される。第２コイル部２２の第４コイル端Ｔ４が、第３コイル部２３の第５コイル端Ｔ５と接続される。第３コイル部２３の第６コイル端Ｔ６が、第４コイル部２４の第７コイル端Ｔ７と接続される。例えば、第１コイル部２１の第１コイル端Ｔ１及び第４コイル部２４の第８コイル端Ｔ８が、電流２０ｉの供給のための端子となる。
【００９８】
磁気ヘッド１２０においても、転送速度が向上できる磁気ヘッド及び磁気記録再生装置を提供できる。
【００９９】
磁気ヘッド１２０において、例えば、第１方向Ｄ１において、第１コイル部２１の少なくとも一部と、第２コイル部２２の少なくとも一部と、の間に磁極１０の一部が位置している。第１方向Ｄ１において、第３コイル部２３少なくとも一部と、第４コイル部２４の少なくとも一部と、の間に磁極１０の別の一部が位置している。この例では、第１コイル部２１から第３コイル部２３に向かう方向は、第３方向Ｄ３に沿っている。この例では、第２コイル部２２から第４コイル部２４に向かう方向は、第３方向Ｄ３に沿っている。
【０１００】
第２コイル部２２の一部は、第１コイル部２１の一部と接続される。第３コイル部２３の一部は、第２コイル部２２の別の一部と接続される。第４コイル部２４の一部は、第３コイル部２３の別の一部と接続される。
【０１０１】
図９（ａ）及び図９（ｂ）は、第１の実施形態に係る別の磁気ヘッドを例示する模式図である。  
図９（ａ）は、斜視図である。図９（ｂ）は、図９（ａ）に示す矢印方向ＡＡから見た透視側面図である。図９（ｂ）において、構成要素の一部の図示が省略されている。図９（ａ）においては、図を見やすくするために、構成要素の間を離して描いている。
【０１０２】
図９（ａ）に示すように、実施形態に係る磁気ヘッド１３０も、磁極１０と、コイル２０と、を含む。磁気ヘッド１３０においても、第１シールド３１及び第２シールド３２が設けられている。磁気ヘッド１３０においては、コイル２０の形状が、磁気ヘッド１１０のそれとは異なる。
【０１０３】
図９（ｂ）に示すように、コイル２０は、２重巻きのパンケーキ型である。コイル２０は、第１コイル部２１に加えて、第２コイル部２２、第３コイル部２３及び第４コイル部２４をさらに含む。
【０１０４】
第１コイル部２１及び第３コイル部２３を含むグループと、第２コイル部２２及び第４コイル部２４を含むグループと、の間に、磁極１０が位置する。第１コイル部２１から第３コイル部２３に向かう方向は、第３方向Ｄ３に沿っている。第２コイル部２２から第４コイル部２４に向かう方向は、第３方向Ｄ３に沿っている。例えば、第３コイル部２３は、第１コイル部２１の上にある。例えば、第４コイル部２４は、第２コイル部２２の上にある。
【０１０５】
例えば、第３コイル部２３の一部は、第１コイル部２１の一部と接続される。第３コイル部２３の別の一部は、第２コイル部２２及び第４コイル部２４の一方の一部と接続される。第２コイル部２２及び第４コイル部２４の上記の一方の他の一部は、第２コイル部２２及び第４コイル部２４の他方の一部と接続される。
【０１０６】
第３コイル部２３の縁部２３ｒの少なくとも一部は、第１コイル縁部２１ａ、第２コイル縁部２１ｂ及び第３コイル縁部２１ｃに沿っている。第４コイル部２４の縁部２４ｒの少なくとも一部は、第４コイル縁部２２ｄ、第５コイル縁部２２ｅ及び第６コイル縁部２２ｆに沿っている。
【０１０７】
磁気ヘッド１３０においても、転送速度が向上できる磁気ヘッド及び磁気記録再生装置を提供できる。
【０１０８】
図９（ｂ）に示す例では、磁極１０は、接触部３１ｃと繋がるホール１５を有する。接触部３１ｃと繋がるホール１５は、例えば、磁極１０を第１方向Ｄ１（Ｙ軸方向）に貫通する。
【０１０９】
図１０は、第１の実施形態に係る別の磁気ヘッドを例示する模式的側面図である。  
図１０は、図９（ｂ）に対応する側面図である。  
図１０に示すように、実施形態に係る磁気ヘッド１３１も、磁極１０と、コイル２０と、を含む。磁気ヘッド１３１におけるコイル２０の形状は、磁気ヘッド１３０におけるそれと同様である。磁気ヘッド１３１において、磁極１０の上端が平坦である。
【０１１０】
例えば、磁極１０は、第１端部１１及び第２端部１２を含む。これらの端部は、上側の端部である。第１端部１１と第２端部１２とを結ぶ方向は、例えば、第２方向Ｄ２に沿う。磁極１０は、第１端部１１と第２端部１２とを結ぶ辺部１４を有する。辺部１４は、第２方向Ｄ２に沿って延びる。辺部１４は、例えば、第２方向Ｄ２に対して実質的に平行である。これ以外は、磁気ヘッド１３１は、磁気ヘッド１３０と同様である。
【０１１１】
磁気ヘッド１３１においても、転送速度が向上できる磁気ヘッド及び磁気記録再生装置を提供できる。
【０１１２】
図５（ａ）、図５（ｂ）、図６（ａ）、図６（ｂ）、図９（ｂ）及び図１０などに例示するように、接触部３１ｃ（または接触部３１ｃと繋がるホール１５）のＸ−Ｚ平面における形状は、多角形（例えば四角形など）、円形（偏平円を含む）、または、三日月状形などを有しても良い。
【０１１３】
（第２の実施形態）
第２の実施形態は、磁気記憶装置に係る。本実施形態に係る磁気記憶装置は、磁気ヘッドと、磁気記録媒体８０と、を含む。磁気記録媒体８０は、磁極１０により情報が記録される。この磁気ヘッドは、第１の実施形態に係る任意の磁気ヘッド、及び、その変形の磁気ヘッドである。以下では、磁気ヘッド１１０が用いられる場合について、説明する。
【０１１４】
図１１は、第２の実施形態に係る磁気記録再生装置の一部を例示する模式的斜視図である。  
図１１はヘッドスライダを例示している。  
磁気ヘッド１１０は、ヘッドスライダ３に設けられる。ヘッドスライダ３は、例えばＡｌ２Ｏ３／ＴｉＣなどを含む。ヘッドスライダ３は、磁気記録媒体８０の上を、浮上または接触しながら、磁気記録媒体８０に対して相対的に運動する。
【０１１５】
ヘッドスライダ３は、例えば、空気流入側３Ａ及び空気流出側３Ｂを有する。磁気ヘッド１１０は、ヘッドスライダ３の空気流出側３Ｂの側面などに配置される。これにより、磁気ヘッド１１０は、磁気記録媒体８０の上を浮上または接触しながら磁気記録媒体８０に対して相対的に運動する。
【０１１６】
図１２は、第２の実施形態に係る磁気記録再生装置を例示する模式的斜視図である。  
図１３（ａ）及び図１３（ｂ）は、第２の実施形態に係る磁気記録再生装置の一部を例示する模式的斜視図である。  
図１２に示したように、実施形態に係る磁気記録再生装置１５０においては、ロータリーアクチュエータが用いられる。記録用媒体ディスク１８０は、スピンドルモータ４に装着される。記録用媒体ディスク１８０は、モータにより矢印ＡＲの方向に回転する。モータは、駆動装置制御部からの制御信号に応答する。本実施形態に係る磁気記録再生装置１５０は、複数の記録用媒体ディスク１８０を備えても良い。磁気記録再生装置１５０は、記録媒体１８１を含んでもよい。記録媒体１８１は、例えば、ＳＳＤ（Solid State Drive）である。記録媒体１８１には、例えば、フラッシュメモリなどの不揮発性メモリが用いられる。例えば、磁気記録再生装置１５０は、ハイブリッドＨＤＤ（Hard Disk Drive）でも良い。
【０１１７】
ヘッドスライダ３は、記録用媒体ディスク１８０に記録する情報の、記録及び再生を行う。ヘッドスライダ３は、薄膜状のサスペンション１５４の先端に設けられる。ヘッドスライダ３の先端付近に、実施形態に係る磁気ヘッドのいずれかが設けられる。
【０１１８】
記録用媒体ディスク１８０が回転すると、サスペンション１５４による押し付け圧力と、ヘッドスライダ３の媒体対向面（ＡＢＳ）で発生する圧力と、がバランスする。ヘッドスライダ３の媒体対向面と、記録用媒体ディスク１８０の表面と、の間の距離が、所定の浮上量となる。実施形態において、ヘッドスライダ３は、記録用媒体ディスク１８０と接触しても良い。例えば、接触走行型が適用されても良い。
【０１１９】
サスペンション１５４は、アーム１５５（例えばアクチュエータアーム）の一端に接続されている。アーム１５５は、例えば、ボビン部などを有する。ボビン部は、駆動コイルを保持する。アーム１５５の他端には、ボイスコイルモータ１５６が設けられる。ボイスコイルモータ１５６は、リニアモータの一種である。ボイスコイルモータ１５６は、例えば、駆動コイル及び磁気回路を含む。駆動コイルは、アーム１５５のボビン部に巻かれる。磁気回路は、永久磁石及び対向ヨークを含む。永久磁石と対向ヨークとの間に、駆動コイルが設けられる。サスペンション１５４は、一端と他端とを有する。磁気ヘッドは、サスペンション１５４の一端に設けられる。アーム１５５は、サスペンション１５４の他端に接続される。
【０１２０】
アーム１５５は、ボールベアリングによって保持される。ボールベアリングは、軸受部１５７の上下の２箇所に設けられる。アーム１５５は、ボイスコイルモータ１５６により回転及びスライドが可能である。磁気ヘッドは、記録用媒体ディスク１８０の任意の位置に移動可能である。
【０１２１】
図１３（ａ）は、磁気記録再生装置の一部の構成を例示しており、ヘッドスタックアセンブリ１６０の拡大斜視図である。  
また、図１３（ｂ）は、ヘッドスタックアセンブリ１６０の一部となる磁気ヘッドアセンブリ（ヘッドジンバルアセンブリ：ＨＧＡ）１５８を例示する斜視図である。
【０１２２】
図１３（ａ）に示したように、ヘッドスタックアセンブリ１６０は、軸受部１５７と、ヘッドジンバルアセンブリ１５８と、支持フレーム１６１と、を含む。ヘッドジンバルアセンブリ１５８は、軸受部１５７から延びる。支持フレーム１６１は、軸受部１５７から延びる。支持フレーム１６１の延びる方向は、ヘッドジンバルアセンブリ１５８の延びる方向とは逆である。支持フレーム１６１は、ボイスコイルモータのコイル１６２を支持する。
【０１２３】
図１３（ｂ）に示したように、ヘッドジンバルアセンブリ１５８は、軸受部１５７から延びたアーム１５５と、アーム１５５から延びたサスペンション１５４と、を有している。
【０１２４】
サスペンション１５４の先端には、ヘッドスライダ３が設けられる。ヘッドスライダ３に、実施形態に係る磁気ヘッドのいずれかが設けられる。
【０１２５】
実施形態に係る磁気ヘッドアセンブリ（ヘッドジンバルアセンブリ）１５８は、実施形態に係る磁気ヘッドと、磁気ヘッドが設けられたヘッドスライダ３と、サスペンション１５４と、アーム１５５と、を含む。ヘッドスライダ３は、サスペンション１５４の一端に設けられる。アーム１５５は、サスペンション１５４の他端と接続される。
【０１２６】
サスペンション１５４は、例えば、信号の記録及び再生用のリード線（図示しない）を有する。サスペンション１５４は、例えば、浮上量調整のためのヒーター用のリード線（図示しない）を有しても良い。サスペンション１５４は、例えばスピントルク発振子用などのためのリード線（図示しない）を有しても良い。これらのリード線と、磁気ヘッドに設けられた複数の電極と、が電気的に接続される。
【０１２７】
磁気記録再生装置１５０において、信号処理部１９０が設けられる。信号処理部１９０は、磁気ヘッドを用いて磁気記録媒体への信号の記録及び再生を行う。信号処理部１９０は、信号処理部１９０の入出力線は、例えば、ヘッドジンバルアセンブリ１５８の電極パッドに接続され、磁気ヘッドと電気的に接続される。
【０１２８】
本実施形態に係る磁気記録再生装置１５０は、磁気記録媒体と、実施形態に係る磁気ヘッドと、可動部と、位置制御部と、信号処理部と、を含む。可動部は、磁気記録媒体と磁気ヘッドとを離間させ、または、接触させた状態で相対的に移動可能とする。位置制御部は、磁気ヘッドを磁気記録媒体の所定記録位置に位置合わせする信号処理部は、磁気ヘッドを用いた磁気記録媒体への信号の記録及び再生を行う。
【０１２９】
例えば、上記の磁気記録媒体として、記録用媒体ディスク１８０が用いられる。上記の可動部は、例えば、ヘッドスライダ３を含む。上記の位置制御部は、例えば、ヘッドジンバルアセンブリ１５８を含む。
【０１３０】
本実施形態に係る磁気記録再生装置１５０は、磁気記録媒体と、実施形態に係る磁気ヘッドアセンブリと、磁気ヘッドアセンブリに設けられた磁気ヘッドを用いて磁気記録媒体への信号の記録及び再生を行う信号処理部と、を備える。
【０１３１】
実施形態によれば、転送速度が向上できる磁気ヘッド及び磁気記録再生装置が提供できる。
【０１３２】
実施形態は、例えば、以下の構成を含む。
（構成１）  
磁極と、
第１方向において前記磁極から離れた第１コイル部を含むコイルと、
を備え、
前記磁極は、
磁極端部と、
前記磁極端部に接続された第１磁極縁部と、
前記磁極端部に接続された第２磁極縁部と、
を含み、
前記第１コイル部は、
第１コイル縁部と、
第２コイル縁部と、
前記第１コイル縁部及び前記第２コイル縁部と接続され前記第１方向において前記磁極と重なる第３コイル縁部と、
を含み、
前記第１磁極縁部は、前記第１方向において前記第１コイル縁部と重なる第１磁極重畳部を含み、
前記第２磁極縁部は、前記第１方向において前記第２コイル縁部と重なる第２磁極重畳部を含み、
前記磁極端部は、前記第１磁極重畳部と前記第２磁極重畳部とを結ぶ第２方向の磁極端部中心を有し、
前記第１磁極重畳部と前記第２磁極重畳部との間の重畳部中心と、前記磁極端部中心と、を結ぶ第１直線と、前記第１磁極縁部と、の間の、前記第２方向に沿った距離は、前記磁極端部中心から前記重畳部中心に向かう第３方向に進むに従って増大し、
前記第３コイル縁部を通り前記第１直線に対して平行な第２直線と、前記第１コイル縁部と、の間の前記第２方向に沿った距離は、前記第３方向に進むに従って減少した、磁気ヘッド。
（構成２）  
前記第１直線と前記第２磁極縁部との間の前記第２方向に沿った距離は、前記第３方向に進むに従って増大し、
前記第２直線と前記第２コイル縁部との間の前記第２方向に沿った距離は、前記第３方向に進むに従って減少した、構成１記載の磁気ヘッド。
（構成３）  
前記第２磁極縁部は、前記第２磁極重畳部を含み第２磁極延在方向に沿う第２磁極延在部を含み、
前記第２コイル縁部は、前記第１方向において前記第２磁極縁部と重なる第２コイル重畳部を含み、
前記第２コイル縁部は、前記第２コイル重畳部を含み第２コイル延在方向に沿う第２コイル延在部を含み、
前記第２磁極延在方向と前記第２コイル延在方向との間の角度の絶対値は、４５度よりも大きい、構成２記載の磁気ヘッド。
（構成４）  
前記第１磁極縁部は、前記第１磁極重畳部を含み第１磁極延在方向に沿う第１磁極延在部を含み、
前記第１コイル縁部は、前記第１方向において前記第１磁極縁部と重なる第１コイル重畳部を含み、
前記第１コイル縁部は、前記第１コイル重畳部を含み第１コイル延在方向に沿う第１コイル延在部を含み、
前記第１磁極延在方向と前記第１コイル延在方向との間の角度の絶対値は、４５度よりも大きい、構成１〜３のいずれか１つに記載の磁気ヘッド。
（構成５）  
前記磁極の一部と接する接触部を含む第１シールドをさらに備え、
前記第１磁極縁部は、前記第１方向において前記接触部の外縁と重なる第１磁極接触重畳部を含み、
前記第２磁極縁部は、前記第１方向において前記接触部の前記外縁と重なる第２磁極接触重畳部を含み、
前記磁極端部は、第１端と第２端とをさらに含み、前記第１端と前記第２端とを結ぶ方法は、前記第２方向に沿い、前記第１端と前記第２端との間に前記磁極端部中心が位置し、
前記第１端と前記第１磁極接触重畳部との間の距離は、前記第１端と前記第２磁極接触重畳部との間の距離よりも短く、
前記第２端と前記第２磁極接触重畳部との間の距離は、前記第２端と前記第１磁極接触重畳部との間の距離よりも短く、
前記第１コイル縁部は、前記第１端と前記第１磁極接触重畳部とを結ぶ第１線分と前記第１方向において重なる第１線分重畳部を含み、
前記第１コイル縁部は、前記第１線分重畳部を含み第１重畳延在方向に沿う第１重畳延在部を含み、
前記第１線分の方向と、前記第１重畳延在方向と、の間の角度の絶対値は、４５度よりも大きい、構成１または２に記載の磁気ヘッド。
（構成６）
前記第２コイル縁部は、前記第２端と前記第２磁極接触重畳部とを結ぶ第２線分と前記第１方向において重なる第２線分重畳部を含み、
前記第２コイル縁部は、前記第２線分重畳部を含み第２重畳延在方向に沿う第２重畳延在部を含み、
前記第２線分の方向と、前記第２重畳延在方向と、の間の角度の絶対値は、４５度よりも大きい、構成５記載の磁気ヘッド。
（構成７）  
前記磁極の一部と接する接触部を含む第１シールドをさらに備え、
前記接触部の外縁は、
第１コーナ端部と、
第２コーナ端部と、
前記第１コーナ端部と前記第２コーナ端部とを接続する第１接続縁部と、
前記第１コーナ端部と前記第２コーナ端部とを接続する第２接続縁部と、
を含み、
前記第１コーナ端部及び前記第２コーナ端部を結ぶ方向は、前記第２方向に沿い、
前記第３方向において、前記第２接続縁部と前記磁極端部との間に、前記第１接続縁部が位置し、
前記磁極端部は、第１端と第２端とをさらに含み、前記第１端と前記第２端とを結ぶ方法は、前記第２方向に沿い、前記第１端と前記第２端との間に前記磁極端部中心が位置し、
前記第１端と前記第１コーナ端部との間の距離は、前記第１端と前記第２コーナ端部との間の距離よりも短く、
前記第２端と前記第２コーナ端部との間の距離は、前記第２端と前記第１コーナ端部との間の距離よりも短く、
前記第１コイル縁部は、前記第１端と前記第１コーナ端部とを結ぶ第１線分と前記第１方向において重なる第１線分重畳部を含み、
前記第１コイル縁部は、前記第１線分重畳部を含み第１重畳延在方向に沿う第１重畳延在部を含み、
前記第１線分の方向と、前記第１重畳延在方向と、の間の角度の絶対値は、４５度よりも大きい、構成１または２に記載の磁気ヘッド。
（構成８）  
前記第２コイル縁部は、前記第２端と前記第２磁極接触重畳部とを結ぶ第２線分と前記第１方向において重なる第２線分重畳部を含み、
前記第２コイル縁部は、前記第２線分重畳部を含み第２重畳延在方向に沿う第２重畳延在部を含み、
前記第２線分の方向と、前記第２重畳延在方向と、の間の角度の絶対値は、４５度よりも大きい、構成７記載の磁気ヘッド。
（構成９）  
前記第１コイル縁部の前記第３方向における位置は、前記第３コイル縁部の前記第３方向における位置と、前記磁極端部の前記第３方向における位置との間にあり、
前記第２コイル縁部の前記第３方向における位置は、前記第３コイル縁部の前記第３方向における前記位置と、前記磁極端部の前記第３方向における前記位置との間にある、構成１〜８のいずれか１つに記載の磁気ヘッド。
（構成１０）  
前記コイルは、前記第１コイル部と電気的に接続された第２コイル部をさらに含み、
前記第１方向において前記第１コイル部の少なくとも一部と前記第２コイル部の少なくとも一部との間に前記磁極の少なくとも一部が配置され、
前記第２コイル部は、
第４コイル縁部と、
第５コイル縁部と、
前記第４コイル縁部及び前記第５コイル縁部と接続され前記第１方向において前記磁極と重なる第６コイル縁部と、
を含み、
前記第６コイル縁部を通り前記第１直線に対して平行な第３直線と、前記第４コイル縁部と、の間の前記第２方向に沿った距離は、前記第３方向に進むに従って減少した、構成１〜９のいずれか１つに記載の磁気ヘッド。
（構成１１）  
前記第３直線と前記第５コイル縁部との間の前記第２方向に沿った距離は、前記第３方向に進むに従って減少した、構成１０記載の磁気ヘッド。
（構成１２）  
前記第４コイル縁部の前記第３方向における位置は、前記第６コイル縁部の前記第３方向における位置と、前記磁極端部の前記第３方向における位置との間にあり、
前記第５コイル縁部の前記第３方向における位置は、前記第６コイル縁部の前記第３方向における前記位置と、前記磁極端部の前記第３方向における前記位置との間にある、構成１０または１２に記載の磁気ヘッド。
（構成１３）  
前記コイルは、前記第１コイル部と電気的に接続された第３コイル部をさらに含み、
前記第３コイル部は、前記第１方向において前記磁極から離れ、
前記第１コイル部及び前記第３コイル部を結ぶ方向は、前記第３方向に沿い、
前記第３コイル部の縁部の少なくとも一部は、前記第１コイル縁部、前記第２コイル縁部及び前記第３コイル縁部に沿っている、構成１〜１２のいずれか１つに記載の磁気ヘッド。
（構成１４）
前記コイルは、前記第３コイル部と電気的に接続された第４コイル部をさらに含み、
前記第３コイル部の少なくとも一部と前記第４コイル部との間に前記磁極の少なくとも一部が配置された、構成１３記載の磁気ヘッド。
（構成１５）  
前記コイルは、第２コイル部、第３コイル部及び第４コイル部をさらに含み、
前記第１方向において、前記第１コイル部の少なくとも一部と、前記第２コイル部の少なくとも一部と、の間に前記磁極の一部が位置し、
前記第１方向において、前記第３コイル部の少なくとも一部と、前記第４コイル部の少なくとも一部と、の間に前記磁極の別の一部が位置し、
前記第１コイル部から前記第３コイル部に向かう方向は、前記第３方向に沿い、
前記第２コイル部から前記第４コイル部に向かう方向は、前記第３方向に沿い、
前記第２コイル部の一部は、前記第１コイル部の一部と接続され、
前記第３コイル部の一部は、前記第２コイル部の別の一部と接続され、
前記第４コイル部の一部は、前記第３コイル部の別の一部と接続された、構成１〜９のいずれか１つに記載の磁気ヘッド。
（構成１６）  
前記コイルは、第２コイル部、第３コイル部及び第４コイル部をさらに含み、
前記第１コイル部及び前記第３コイル部を含むグループと、前記第２コイル部及び前記第４コイル部を含むグループと、の間に、前記磁極が位置し、
前記第１コイル部から前記第３コイル部に向かう方向は、前記第３方向に沿い、
前記第２コイル部から前記第４コイル部に向かう方向は、前記第３方向に沿い、
前記第３コイル部の一部は、前記第１コイル部の一部と接続され、
前記第３コイル部の別の一部は、前記第２コイル部及び前記第４コイル部の一方の一部と接続され、
前記第２コイル部及び前記第４コイル部の前記一方の他の一部は、前記第２コイル部及び前記第４コイル部の他方の一部と接続された、構成１〜９のいずれか１つに記載の磁気ヘッド。
（構成１７）  
前記磁極は、前記磁極を前記第１方向に貫通するホールを有した、構成１〜１６のいずれか１つに記載の磁気ヘッド。
（構成１８）  
構成１〜１７のいずれか１つに記載の磁気ヘッドと、
前記磁極により情報が記録される磁気記録媒体と、
を備えた磁気記録再生装置。
【０１３３】
本願明細書において、「垂直」及び「平行」は、厳密な垂直及び厳密な平行だけではなく、例えば製造工程におけるばらつきなどを含むものであり、実質的に垂直及び実質的に平行であれば良い。
【０１３４】
以上、具体例を参照しつつ、本発明の実施の形態について説明した。しかし、本発明は、これらの具体例に限定されるものではない。例えば、磁気ヘッドに含まれる磁極及びコイルなどの各要素の具体的な構成に関しては、当業者が公知の範囲から適宜選択することにより本発明を同様に実施し、同様の効果を得ることができる限り、本発明の範囲に包含される。
【０１３５】
また、各具体例のいずれか２つ以上の要素を技術的に可能な範囲で組み合わせたものも、本発明の要旨を包含する限り本発明の範囲に含まれる。
【０１３６】
その他、本発明の実施の形態として上述した磁気ヘッド及び磁気記録再生装置を基にして、当業者が適宜設計変更して実施し得る全ての磁気ヘッド及び磁気記録再生装置も、本発明の要旨を包含する限り、本発明の範囲に属する。
【０１３７】
その他、本発明の思想の範疇において、当業者であれば、各種の変更例及び修正例に想到し得るものであり、それら変更例及び修正例についても本発明の範囲に属するものと了解される。
【０１３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３９】
３…ヘッドスライダ、  ３Ａ…空気流入側、  ３Ｂ…空気流出側、  ４…スピンドルモータ、  １０…磁極、  １０Ｆ…媒体対向面、  １０ａ…第１磁極縁部、  １０ａＤ…第１磁極延在方向、  １０ａｃ…第１磁極重畳部、  １０ａｅ…第１磁極延在部、  １０ａｘ…第１磁極接触重畳部、  １０ａｘＤ…第１線分方向、  １０ａｘＬ…第１線分、  １０ｂ…第２磁極縁部、  １０ｂＤ…第２磁極延在方向、  １０ｂｃ…第２磁極重畳部、  １０ｂｅ…第２磁極延在部、  １０ｂｘ…第２磁極接触重畳部、  １０ｂｘＤ…第２線分方向、  １０ｂｘＬ…第２線分、  １０ｃ…重畳部中心、  １０ｅ…磁極端部、  １０ｅａ…第１端、  １０ｅｂ…第２端、  １０ｅｃ…磁極端部中心、  １０ｉ…絶縁部、  １１…第１端部、  １２…第２端部、  １４…辺部、  １５…ホール、  ２０…コイル、  ２０ｉ…電流、  ２１ａ…第１コイル縁部、  ２１ａＤ…第１コイル延在方向、  ２１ａｃ…第１コイル重畳部、  ２１ａｅ…第１コイル延在部、  ２１ａｘＤ…第１重畳延在方向、  ２１ａｘｃ…第１線分重畳部、  ２１ａｘｅ…第１重畳延在部、  ２１ｂ…第２コイル縁部、  ２１ｂＤ…第２コイル延在方向、  ２１ｂｃ…第２コイル重畳部、  ２１ｂｅ…第２コイル延在部、  ２１ｂｘＤ…第２重畳延在方向、  ２１ｂｘｃ…第２線分重畳部、  ２１ｂｘｅ…第２重畳延在部、  ２１ｃ…第３コイル縁部、  ２２…第２コイル部、  ２２ｄ…第４コイル縁部、  ２２ｅ…第５コイル縁部、  ２２ｆ…第６コイル縁部、  ２３…第３コイル部、  ２３ｒ…縁部、  ２４…第４コイル部、  ２４ｒ…縁部、  ３１…第１シールド、  ３１ｃ…接触部、  ３１ｃｒ…外縁、  ３１ｃｒａ…第１コーナ端部、  ３１ｃｒｂ…第２コーナ端部、  ３１ｃｒｐ…第１接続縁部、  ３１ｃｒｑ…第２接続縁部、  ３１ｐ…シールド部、  ３２…第２シールド、  ８０…磁気記録媒体、  ８４…磁化、  ８５…媒体移動方向、  θ１、θ２…第１、第２角度、  θｓ１、θｓ２…第１、第２交差角度、  １１０、１１１、１１２、１１３、１１４、１１９ａ、１１９ｂ、１２０、１３０、１３１…磁気ヘッド、  １５０…磁気記録再生装置、  １５４…サスペンション、  １５５…アクチュエータアーム、  １５６…ボイスコイルモータ、  １５７…軸受部、  １５８…ヘッドジンバルアセンブリ、  １６０…ヘッドスタックアセンブリ、  １６１…支持フレーム、  １６２…コイル、  １８０…記録用媒体ディスク、  １８１…記録媒体、  １９０…信号処理部、  ＡＡ…矢印方向、  ＡＲ…矢印、  ＢＥＲ…ビットエラーレート、  Ｄ１〜Ｄ３…第１〜第３方向、  Ｄｉ…方向、  Ｄｍ１…方向、  Ｄｍ２…方向、  Ｄｓｐ１〜Ｄｓｐ６…方向、  Ｌ１〜Ｌ３…第１〜第３直線、  Ｔ１〜Ｔ８…コイル端、  ＴＭＤ…位相遅れ、  ｄ１〜ｄ６…第１〜第６距離、  ｐＺ…位置
【図１】
2018041516.tif 000003
【図２】
2018041516.tif 000004
【図３】
2018041516.tif 000005
【図４】
2018041516.tif 000006
【図５】
2018041516.tif 000007
【図６】
2018041516.tif 000008
【図７】
2018041516.tif 000009
【図８】
2018041516.tif 000010
【図９】
2018041516.tif 000011
【図１０】
2018041516.tif 000012
【図１１】
2018041516.tif 000013
【図１２】
2018041516.tif 000014
【図１３】
2018041516.tif 000015